(57)【要約】ガスノズル（２４）と、そのガスノズル（２４）からの噴射流の範囲内においてガスノズル（２４）の中心軸線と交差する方向に向かって開口する化粧液ノズル（４１）とを備え、ガスノズル（２４）からの炭酸ガスの噴射流によって化粧液ノズル（４１）から化粧液が吸い上げられて噴霧される。ガスノズル（２４）の口径を化粧液ノズル（４１）の口径より大きくした。
2015099023.tif 000002
【特許請求の範囲】
【請求項１】
気体が噴射されるガスノズルと、そのガスノズルからの噴射流の範囲内においてガスノズルの中心軸線と交差する方向に向かって開口するとともに、液体供給源に接続された液体ノズルとを備え、ガスノズルからの気体の噴射流によって液体ノズルからの液体が噴霧されるようにした噴霧器において、
前記ガスノズルの口径を液体ノズルの口径より大きくした噴霧器。
【請求項２】
前記液体ノズルの口径に対するガスノズルの口径の比率を１．０７〜１．６０の範囲内にした請求項１に記載の噴霧器。
【請求項３】
液体ノズルの先端に面取りを形成した請求項１または２に記載の噴霧器。
【請求項４】
ガスノズル及び液体ノズルを覆うカバーを設けた請求項１〜３のうちのいずれか一項に記載の噴霧器。
【請求項５】
前記ガスノズルの周囲に向かう空気流を導入するための開口をガスノズルの後方において前記カバーに設けた請求項４に記載の噴霧器。
【請求項６】
前記ガスノズル及び液体ノズルを噴霧器ハウジングによって覆った請求項１〜５のうちのいずれか一項に記載の噴霧器。
【発明の詳細な説明】
【技術分野】
【０００１】
本発明は、化粧液等の液体をガスの噴流にのせて噴霧できるようにした噴霧器に関するものである。
【背景技術】
【０００２】
この種の噴霧器が特許文献１に開示されている。この噴霧器においては、ガスボンベからのガスがガスノズルから噴射されると、その噴射流によって形成される負圧によって化粧液が容器から吸い上げられる。そして、吸い上げられた化粧液が化粧液ノズルからミストとなって、噴射流とともに放出される。
【先行技術文献】
【特許文献】
【０００３】
【特許文献１】特開２０１３−２３３９５７号公報
【発明の概要】
【発明が解決しようとする課題】
【０００４】
このような噴霧器においては、ガスノズルと化粧液ノズルとの口径等において両者の関係が適切でない場合は、ミストの細かい良好な噴霧を得られなかったり、液だれが生じたりするおそれがある。【０００５】
この発明は、このような従来の技術に存在する問題点に着目してなされたものである。その目的は、細かなミストの噴霧を得ることができる噴霧器を提供することにある。
【課題を解決するための手段】
【０００６】
上記の目的を達成するために、本発明においては、気体が噴射されるガスノズルと、そのガスノズルからの噴射流の範囲内においてガスノズルの中心軸線と交差する方向に向かって開口するとともに液体供給源に接続された液体ノズルとを備え、ガスノズルからの気体の噴射流によって液体ノズルから液体が供給されて噴霧されるようにした噴霧器において、前記ガスノズルの口径を液体ノズルの口径より大きくしたことを特徴とする。【０００７】
このように構成すれば、液体ノズルの開口がガスノズルからの噴射流の範囲内に位置しているため、液だれが少なくなり、細かなミストが噴射される。
【発明の効果】
【０００８】
本発明によれば、化粧液等の液体のミストを細かくできて、噴霧器を快適に使用することができる。
【図面の簡単な説明】
【０００９】
【図１】実施形態の噴霧器を示す斜視図。
【図２】噴霧器の開閉カバーを引き上げた状態を示す正面図。
【図３】噴霧器の分解斜視図。
【図４】噴霧器の内部構造を示す断面図。
【図５】噴霧器の上部構造を示す斜視図。
【図６】ガスノズルと化粧液ノズルとの位置関係を示す断面図。
【図７】ガスノズルと化粧液ノズルとの位置関係を示す一部破断平面図。
【図８】化粧液の吸い上げ経路を示す一部破断側面図。
【図９】ノズルホルダを示す斜視図。
【図１０】化粧液ノズルの先端形状を示す断面図。
【図１１】図１０に示す化粧液ノズルとは異なる化粧液ノズルの先端形状を示す断面図。
【図１２】化粧液ボトルの上部を示す斜視図。
【図１３】化粧液ボトルの一部破断側面図。
【図１４】ガスノズル及び化粧液ノズル部分の分解側面図。
【図１５】球状シール部材を示す斜視図。
【図１６】球状シール部材を示す断面図。
【図１７】化粧液ボトルの上部の断面図。
【図１８】図１７に示す化粧液ボトルとは異なる化粧液ボトルの下部の断面図。
【図１９】押しボタンの開閉をロックする機構を示し、バルブのロック状態を示す簡略図。
【図２０】同じく押しボタンのロック解除状態を示す簡略図。
【図２１】押しボタンの開閉をロックする機構を示し、バルブのロック状態を示す側断面図。
【図２２】同じく押しボタンのロック解除状態の側断面図。
【図２３】押しボタンの開閉をロックする機構を示し、バルブのロック状態を示す正断面図。
【図２４】同じく押しボタンのロック解除状態を示す正断面図。
【図２５】開閉カバーを示す斜視図。
【図２６】液体ノズルのシール部材を動作させる機構を示し、シール機能状態を示す側面図。
【図２７】同じくシール解除状態を示す側面図。
【図２８】化粧液ノズルを閉鎖する機構を示す正断面図。
【図２９】化粧液ノズルのシールを示す断面図。
【図３０】キャップを被せた状態における化粧液ノズルの斜視図。
【図３１】キャップの装着状態を示す部分断面図。
【図３２】変更例を示すキャップの部分断面図。
【図３３】変更例を示す作動カム部分の簡略断面図。
【図３４】別の変更例を示す作動カム部分の簡略断面図。
【図３５】さらに別の変更例を示す作動カム部分の簡略断面図。
【図３６】図３５の状態から動作した状態を示す作動カム部分の簡略断面図。
【発明を実施するための形態】
【００１０】
（実施形態）
以下、一実施形態を図面に従って説明する。
図１〜図４に示すように、噴霧器のハウジング１１は、メインフレーム１２を有している。このメインフレーム１２の下部に下部ケース１３が図示しない係止機構を介して着脱可能に取り付けられている。下部ケース１３の前面には縦長の窓１３１が透設され、その内側には透明板１３２が設けられている。メインフレーム１２の上部には前記ハウジング１１の一部を構成する上部フレーム１４が取付けられている。図４に示す上部フレーム１４の外側にはハウジング１１の一部を構成する開閉部材としての開閉カバー１５が図１に実線で示す下方位置と、図２に実線で示す上方位置との間において移動可能に装着されている。図３に示すように、上部フレーム１４は上部カバー１４１によって覆われている。
【００１１】
図２及び図３に示すように、メインフレーム１２の上部の前面には、解除ボタン１６が配置されている。この解除ボタン１６が押し込み操作されることにより、前記下部ケース１３の係止機構による係止状態が解除されてメインフレーム１２からの下部ケース１３の取り外しが可能になる。上部フレーム１４の上端後部には噴霧のための操作部材としての押しボタン１７が配置されている。この押しボタン１７はその後端下部において前記上部カバー１４１の内側面に回動可能に支持されている。
【００１２】
上部フレーム１４の前面には噴霧を外部に放出するための放出口１８が形成されている。この放出口１８は前記開閉カバー１５が下方位置にあるときに開閉カバー１５によって閉鎖され、開閉カバー１５が上方位置にあるときに開放される。開閉カバー１５が下方位置にあるときには、上部フレーム１４が覆われる。開閉カバー１５は、図示しない規制構造により、図１に実線で示す下方位置と、同図に２点鎖線で示す上方位置との間で移動されるように位置規制される。
【００１３】
図４に示すように、メインフレーム１２内にはレギュレータ２１が固定されており、このレギュレータ２１の下端の接続部２７には炭酸ガスボンベ（以下、単にガスボンベという）２２の出口部が着脱可能に接続されている。
【００１４】
図４及び図６〜図９に示すように、メインフレーム１２の上部には、ノズルホルダ２３が固定されており、このノズルホルダ２３には円筒部２３１を有するノズルカバー２３２が取り付けられている。このノズルカバー２３２の円筒部２３１内においてノズルホルダ２３には前記放出口１８と対応するとともに、前方を指向するガスノズル２４が支持されている。ガスノズル２４とレギュレータ２１の下流部との間には、図４に示すバルブ２５が接続されている。バルブ２５の作動子２６の上部に前記押しボタン１７の前側の作動片１９が対向されている。そして、押しボタン１７が、押し下げ操作されることにより、バルブ２５の作動子２６（図２１及び図２２参照）が押し下げられて、バルブ２５が開放される。このため、ガスボンベ２２内の炭酸ガスがレギュレータ２１を介してガスノズル２４に供給され、図７に示すように、そのガスノズル２４から前方へ噴射される。
【００１５】
図４及び図８に示すように、前記メインフレーム１２には、液路３１を有する接続部材３２が固定されている。この液路３１の下端の接続口３３には、化粧液のボトル３４が下方から着脱可能に接続されている。図１２及び図１３に示すように、ボトル３４の本体の上部にはボトルキャップ３４１が被せられている。このボトルキャップ３４１の両側には突起３４４が形成されており、各突起３４４が図１４に示すメインフレーム１２の対応する突片１２２に弾性的に係合することにより、ボトル３４が装着状態に保持される。また、接続部材３２に対するボトル３４の着脱に際しては、各突起３４４と各突片１２２との係合及びその解除によりクリック感が発生する。
【００１６】
図８、図１２及び図１３に示すように、前記ボトルキャップ３４１の筒状の取り出し口３４２にはシリコーン樹脂よりなる中空の球状シール部材３５が取付けられている。そして、この球状シール部材３５の先端部３６及び外周の最大径部３７が接続口３３の内面に圧接されてシール性が確保されている。
【００１７】
図１３及び図１７に示すように、ボトル３４内には前記取り出し口３４２に接続した合成樹脂よりなる吸い上げパイプ３４３が収容されており、この吸い上げパイプ３４３を介してボトル３４内の化粧液が吸い上げられる。吸い上げパイプ３４３の下端開口部は、ほぼＶ字状に切り込まれている。すなわち、図１８に示すように、吸い上げパイプ３４３の下端開口部が平坦な端面を有するように切り落とされた場合は、吸い上げパイプ３４３が湾曲した際に、その端面がボトル３４の内側面に当たって下端開口部が塞がれるおそれがあり、このような場合は化粧液の吸い上げに支障をきたす。端面を前記のようなＶ字形状にすれば、このようなおそれを防ぐことができる。
【００１８】
図１７に示すように、ボトル３４のボトルキャップ３４１には通気孔３４６が形成されており、この通気孔３４６を下側から覆うようにボトルキャップ３４１の内側面には微細孔を有する多孔質膜３４７が貼着されている。そして、高気温等によってボトル３４の温度が上昇して内圧が上昇した場合は、通気孔３４６及び多孔質膜３４７を通して内圧が逃がされる。このとき、多孔質膜３４７の微細孔は液を通さないため、化粧液の漏出は防止される。また、化粧液の噴霧によってボトル３４内の化粧液の水位が下がった分だけ多孔質膜３４７及び通気孔３４６を通して外気がボトル３４内に導入されて、ボトル３４の内圧低下が防止される。
【００１９】
前記ボトル３４は透明な合成樹脂によって構成され、内部の化粧液を外部から透視できるようになっている。そして、ボトル３４をメインフレーム１２に装着した状態においては、ハウジング１１の外部から前記窓１３１の透明板１３２及びボトル３４を介して化粧液の残留量を目視で確認できる。
【００２０】
図１７に示すように、前記ボトル３４の本体３４０は、硬質樹脂よりなる外筒３４８と、軟質樹脂よりなる内筒３４９とよりなり、外筒３４８と内筒３４９とはそれらの口部において接着されている。そして、化粧液は内筒３４９内に収容され、化粧液の噴霧のための吸い上げ時には、その吸い上げ量に応じた分だけ内筒３４９が変形して内筒３４９の容積が縮小され、内筒３４９の内圧の低下が抑制された状態で、化粧液が円滑に吸い上げられる。化粧液の吸い上げ後は、前記通気孔３４６及び多孔質膜３４７を介して内筒３４９内に大気が導入されて、内筒３４９の変形が復元される。
【００２１】
図６、図７及び図９に示すように、前記ノズルカバー２３２内において、ノズルホルダ２３の下端部には液体ノズルとしての化粧液ノズル４１が上向きに支持されている。この化粧液ノズル４１は接続パイプ４２を介して前記接続部材３２内の液路３１に連結されている。化粧液ノズル４１の先端開口は、ガスノズル２４の中心軸線１００と直交する方向に向かうとともに、ガスノズル２４の中心軸線１００上において前記ガスノズル２４の先端開口の口径すなわち内径の範囲内に位置している。このため、ガスノズル２４からの炭酸ガスの噴射流による負圧によって化粧液ボトル３４内の化粧液が吸い上げられて化粧液ノズル４１に供給される。そして、吸い上げられた化粧液は炭酸ガスの噴射流によってミストとなり、炭酸ガスの噴射流とともに、前記ノズルカバー２３２の前面開口及び放出口１８から噴霧される。
【００２２】
本実施形態では、前記押しボタン１７、ガスノズル２４、バルブ２５及び化粧液ノズル４１により噴霧機構が構成されている。
図１０に示すように、化粧液ノズル４１の先端外周には面取り４１１が形成されており、この面取り４１１により、図１１に示す面取り４１１が形成されない構成と比較して炭酸ガスの噴射流中にエッジを起点とした渦２００の発生が抑制されるようになっている。
【００２３】
図７に示すように、前記化粧液ノズル４１の開口４３の直径である口径はガスノズル２４の開口４４の口径より小径になっており、化粧液ノズル４１の開口４３がガスノズル２４の開口４４からの噴射流の範囲４５内に収まっている。本実施形態においては、化粧液ノズル４１の口径に対するガスノズル２４の口径の比率が１．０７〜１．６０内に設定されている。ガスノズル２４の口径は、例えば０．３５〜０．５０ｍｍ、化粧液ノズル４１の口径は、例えば０．３０〜０．４５ｍｍである。
【００２４】
図６に示すように、ガスノズル２４の中心軸線１００は化粧液ノズル４１の上端面より上方へオフセットされ、そのオフセット量αはガスノズル２４の口径の５〜１００分の１、例えば０．０５ｍｍ程度である。ガスノズル２４と化粧液ノズル４１との間の距離βは、近いほど好ましいが、実施形態では、化粧液ノズル４１の口径の４倍以内になっている。
【００２５】
図８及び図９に示すように、前記ノズルカバー２３２の上部において、化粧液ノズル４１と対応する位置には、開放部４６が形成されている。この開放部４６は、主として噴霧音を調整するためのものである。
【００２６】
ノズルホルダ２３の左右両側の下部寄りの位置には、それぞれノズルホルダ２３の後端から前方へ向かって延びる導入開口４７が透設されている。これらの導入開口４７はガスノズル２４からの噴射流に従うエジェクタ効果による吸引空気流を通すためのものである。この空気流によって、噴霧が整流されて指向性が高まる。すなわち、エジェクタ効果による吸引流が噴霧の周りの随伴流となるため、噴霧が広範囲に拡散されることなく前方に向かって放出される。この場合、開放部４６からもエジェクタ効果による吸引流が導入されるため、この開放部４６も導入開口４７と同様な作用を有する。
【００２７】
図５、図１９及び図２０に示すように、前記メインフレーム１２の上部には移動部材としてのスライダ５１が左右方向にスライド可能に支持されている。スライダ５１の上部には突起５２が形成されている。そして、スライダ５１の移動により、突起５２が図１９に示すように前記押しボタン１７の作動片１９の直下の第１位置と、図２０に示すように、そこから離間する第２位置との間を移動されるようになっている。突起５２が作動片１９の直下の第１位置に配置されたときには、突起５２が押しボタン１７の機能を無効化して押しボタン１７を押し下げ不能にロックする。従って、この状態では、押しボタン１７による前記バルブ２５の開放方向への切り替えが実行されないようになっている。突起５２の上縁部には、突起５２が図２０の第２位置から図１９の第１位置に移動する際に、突起５２と作動片１９との干渉を避けてスライダ５１の円滑な移動を得るための円弧状または傾斜状のカム面５２１が形成されている。
【００２８】
この実施形態においては、突起５２を有するスライダ５１によってロック機構が構成されている。
図５、図１９、図２０、図２３及び図２４に示すように、メインフレーム１２には、左右一対のレバー５３が各レバー５３の下端の軸５４により回動可能に支持されている。各レバー５３は、スプリング５５により外側へ回動方向に付勢されている。各レバー５３の上下方向の中間部にはカムフォロワ５８が支持されている。図１９において、右方のレバー５３はその上端に連結ピン５６を有し、その連結ピン５６は前記スライダ５１の端部の孔５７に連結されている。そして、このレバー５３が回動されることにより、スライダ５１が左右方向にスライドされる。
【００２９】
図１９、図２０、図２３及び図２４に示すように、前記開閉カバー１５の内側面には、前記両カムフォロワ５８とそれぞれ対向する一対のカム部材としての作動カム６１が一体形成され、各作動カム６１の縁部にカム面６１０が形成されている。各カム面６１０には、頂部６１３と、その頂部６１３から後退する上側の第１斜面６１１と、頂部６１３から後退する下側の第２斜面６１２とが形成されている。そして、開閉カバー１５が図１９及び図２３に示す下方位置にあり、開閉カバー１５によって放出口１８が閉鎖されているときには、スプリング５５のバネ力により、カムフォロワ５８が作動カム６１の第１斜面６１１の頂部６１３の近傍に係合して、その位置で保持され、レバー５３が内側の回動位置に規制される。
【００３０】
このため、スライダ５１が図１９及び図２１の第１位置に配置されて、押しボタン１７のロック位置に保持される。そして、この状態においては、開閉カバー１５にカムフォロワ５８及び作動カム６１を介してスプリング５５のバネ力が作用し、第１斜面６１１とカムフォロワ５８との係合により、開閉カバー１５の上方移動に対して抵抗力が付与される。この場合、使用者が開閉カバー１５のみを持ってこの携帯用美容器を吊り下げたとき、美容器の本体側の部分が自重で下方へ移動しないように、前記スプリング５５のバネ力や第１斜面６１１の傾斜角度等が設定されている。
【００３１】
また、図２０及び図２４に示すように、開閉カバー１５が上方位置に引き上げられて、図３に示す放出口１８が開放されるときには、カムフォロワ５８が前記抵抗力に抗して頂部６１３に乗り上げる。この時点で、開閉カバー１５は、その移動ストロークの略前半に相当する距離を移動する。
【００３２】
次いで、カムフォロワ５８が頂部６１３を経て、第２斜面６１２上に移行すると、開閉カバー１５は、その移動ストロークの略後半に相当する距離を移動する。その移動中に、その第２斜面６１２の作用により、前記抵抗力が弱められるとともに、第２斜面６１２のカム作用により開閉カバー１５には上方へ移動する方向へのアシスト力が作用する。
【００３３】
そして、開閉カバー１５の上方への移動が継続され、それにつれて、レバー５３がスプリング５５のバネ力により、軸５４を中心に外側に回動されて、スライダ５１が図２０及び図２２の第２位置、すなわち押しボタン１７の操作を許容する位置に移動される。従って、この状態で、押しボタン１７を押し下げて、バルブ２５を開放側に切換えることができる。また、この状態では、ガスボンベ２２からの炭酸ガスがガスノズル２４から噴射されるようになる。
【００３４】
一方、開閉カバー１５が上方位置から下方位置へ押し下げられたときには、カムフォロワ５８が前記抵抗力に抗し、第２斜面６１２に沿って相対的に移動した後に頂部６１３に乗り上げる。次いで、カムフォロワ５８が頂部６１３を経て、第１斜面６１１上に移行すると、上側ほど後退する第１斜面６１１のカム作用により、前記抵抗力が弱められるとともに、開閉カバー１５には下方へのアシスト力が作用する。
【００３５】
なお、このとき、第２斜面６１２から頂部６１３までの開閉カバー１５のカムフォロワ５８に対する下方移動は、開閉カバー１５の移動ストロークの略前半に相当する。頂部６１３から第１斜面６１１に沿った開閉カバー１５のカムフォロワ５８に対する下方移動は、開閉カバー１５の移動ストロークの略後半に相当する。
【００３６】
このような開閉カバー１５の移動に伴い、レバー５３がスプリング５５のバネ力に抗して、軸５４を中心に内側に回動されて、スライダ５１が図２０及び図２２の第２位置から図１９及び図２１の第１位置まで移動される。従って、この状態では、押しボタン１７を押し下げても、バルブ２５の開放が阻止される。
【００３７】
本実施形態においては、レバー５３、作動カム６１等により、開閉カバー１５とスライダ５１との間の連係機構が構成されている。なお、スライダ５１を左右動させるためには、レバー５３は一方のみでよいが、本実施形態では、一対のレバー５３が対称状に設けられているため、開閉カバー１５に作用する偏荷重が少なく、開閉カバー１５が傾いたりせずに昇降動作が安定化する。また、前記スプリング５５、カムフォロワ５８及びカム面６１０により抵抗付与手段及び抵抗減少手段が構成されている。
【００３８】
図５、図２６〜図２８に示すように、メインフレーム１２には一対のガイド板６２が並設されており、これらのガイド板６２には、上下方向に延びるガイド溝６３が形成されている。ガイド溝６３の上下方向の中間部には斜面６４が形成され、この斜面６４を介してガイド溝６３の上部に幅広部６５が形成されている。両ガイド溝６３には被動部材６６がその両端を左右両側方に突出させた状態で昇降可能に嵌合されている。被動部材６６の背面にはガイド板６２の外側面に係合可能な一対の突起６６１が形成されている。そして、これらの突起６６１とガイド板６２との係合により、被動部材６６の左右方向への変位及び傾斜が制限されるようになっている。
【００３９】
図２８及び図２９に示すように、被動部材６６の中央下部の孔６６２には前記化粧液ノズル４１と対向し、化粧液ノズル４１を閉鎖可能な阻止部材としての円柱形のシール部材６７が取り付けられている。このシール部材６７には、シリコーンゴムやフッ素ゴム等のエラストマが用いられる。被動部材６６とメインフレーム１２との間には被動部材６６を下方へ付勢するスプリング６８が介在されている。被動部材６６の昇降にともない、被動部材６６の中央部及びシール部材６７は前記ノズルカバー２３２の開放部４６（図５及び９参照）を出入りする。
【００４０】
図２５〜図２８に示すように、前記開閉カバー１５の内周面には突起６９が形成され、その上面には斜面７０が形成されている。そして、開閉カバー１５が引き上げられたとき、突起６９により被動部材６６がスプリング６８のバネ力に抗して引き上げられる。このため、シール部材６７が化粧液ノズル４１の上方に離間して配置される。この状態においては、前記斜面７０の作用により、被動部材６６が上昇位置においてガイド溝６３の幅広部６５の後部側に移動されて、突起６９と幅広部６５の傾斜した底辺とにより下降することなく、また、突起６６１により左右動することなくその上昇位置で保持される。従って、開閉カバー１５が引き上げられ、噴霧が行なわれるとき等において、シール部材６７によって化粧液ノズル４１が塞がれたり、シール部材６７が化粧液ノズル４１の上方位置から外れたりすることが防止される。
【００４１】
このとき、被動部材６６がガイド溝６３の幅広部６５の斜面６４によって保持されているため、スプリング６８のバネ力は突起６９、すなわち開閉カバー１５に作用しない。開閉カバー１５が下方に移動されると、突起６９が下降されるため、被動部材６６はスプリング６８のバネ力により前記斜面６４の傾斜に沿って下降される。この下降により、図２８及び図２９に示すように、被動部材６６がスプリング６８のバネ力により下方位置に配置されて、シール部材６７により化粧液ノズル４１が封止される。本実施形態においては、前記ガイド板６２、被動部材６６、開閉カバー１５の突起６９等によって、開閉カバー１５とシール部材６７との間の連係機構が構成されている。
【００４２】
図２９に示すように、前記シール部材６７の被動部材６６から下方への突出部６７１は、前記孔６６２に挿入された部分より大径に形成されている。このため、スプリング６８のバネ力によって化粧液ノズル４１を封止した状態で、座屈や横方向への撓みが規制されて封止状態が適切に維持される。シール部材６７の下部にはシール部材６７とガスノズル２４との干渉を防止するための抉り部６７２が形成されている。
【００４３】
図３０及び図３１に示すように、前記ボトル３４が噴霧器内に装着される前においては、ボトルキャップ３４１には球状シール部材３５を覆う防護キャップ８１が取り付けられる。この防護キャップ８１は流通段階等において用いられ、ボトル３４を噴霧器内に装着するときに外される。防護キャップ８１の内側中心にはピン８２が突設されるとともに、その周囲には保持筒８３が一体形成されている。ピン８２はボトル３４の取り出し口３４２内に挿入されて、取り出し口３４２に栓をする。保持筒８３は球状シール部材３５の外周面に係合する。
【００４４】
ボトルキャップ３４１の内周面には保持筒８３の下端と同じ高さに位置する段差８１１が形成され、保持筒８３と段差８１１との間において、前記ボトルキャップ３４１の通気孔３４６の周囲の環状壁３５０に対応するシリコーンラバーよりなる封止板８４が固定されている。そして、例えば、高々度飛行中の航空機内の場合のように、ボトル３４の内外に圧力差が生じて、ボトル３４内の圧力が外側より高くなった場合であっても、防護キャップ８１を被せることにより、封止板８４が環状壁３５０に当接して通気孔３４６が閉鎖される。この閉鎖によりボトル３４内の化粧液の漏出が防止される。
【００４５】
さて、開閉カバー１５が図１に実線で示す下側の位置に配置されている状態においては、この開閉カバー１５により放出口１８が閉鎖され、噴霧器の内部にゴミ等が侵入することが抑えられる。
【００４６】
また、この状態においては、開閉カバー１５の突起６９が図２６に示す下方位置に配置されているため、図２８に示すように、被動部材６６がスプリング６８のバネ力により下方位置に配置される。従って、シール部材６７によって化粧液ノズル４１が閉鎖され、ボトル３４からの化粧液の漏出を防止できる。
【００４７】
さらに、開閉カバー１５が下方位置に配置されているため、図１９及び図２３に示すように、作動カム６１が下方位置に配置される。このため、レバー５３のカムフォロワ５８がスプリング５５のバネ力により作動カム６１のカム面６１０の頂部６１３より上側の第１斜面６１１に係合され、レバー５３がスプリング５５の付勢力により内側の位置に配置され、その位置で保持される。従って、スライダ５１が図１９及び図２１の位置に配置され、その上部の突起５２が押しボタン１７の下側に位置する。このため、押しボタン１７の押し下げがロックされて、バルブ２５が閉鎖状態に保持され、ガスボンベ２２からの炭酸ガスの放出が阻止される。
【００４８】
従って、意図しない液漏れ、炭酸ガス放出及び噴霧が防止された状態で、携帯用美容器を携行したり、保管したりできる。また、前記のように、カムフォロワ５８がスプリング５５のバネ力によって作動カム６１の頂部６１３より後退している第１斜面６１１に係合しているため、閉鎖状態の開閉カバー１５には開放方向への抵抗力が作用し、開閉カバー１５は、このスプリング５５によって閉鎖状態に保持されている。このため、開閉カバー１５が携帯用美容器の携帯時に例えばハンドバッグ内において不用意に開放側に移動することを避けることができる。また、使用者が開閉カバー１５を持った場合、本体側の部分が自重で下がって、開閉カバー１５が開いた状態になることを回避できる。
【００４９】
ボトル３４内の化粧液を噴霧する場合には、図２に示すように、開閉カバー１５が引き上げられる。このようにすれば、図２７に示すように、被動部材６６がスプリング６８のバネ力に抗して引き上げられて、シール部材６７が化粧液ノズル４１から上方へ離間し、化粧液ノズル４１が閉鎖状態から開放状態となる。
【００５０】
また、図２０及び図２４に示すように、開閉カバー１５の上昇に基づく作動カム６１の上昇により、カムフォロワ５８が作動カム６１の頂部６１３を乗り越え、いわばデッドポイントを乗り越え、作動カム６１の第２斜面６１２側に移行する。第２斜面６１２は下側ほど外側へ後退しているため、作動カム６１に対するスプリング５５によるカムフォロワ５８の圧接力が弱くなり、従って、開閉カバー１５の開放に抗する抵抗力が弱くなり、しかも、第２斜面６１２のカム作用によるアシスト力も作用して、開閉カバー１５を軽い力で開放側に移動させることができる。また、スプリング５５の作用により、レバー５３が第２斜面６１２に従って外側へ回動されるため、スライダ５１が図２２の第２位置に移動される。このため、突起５２が押しボタン１７をロックする位置から退避されて、押しボタン１７を操作可能な状態になる。
【００５１】
従って、この状態で、押しボタン１７を押し下げれば、バルブ２５が開放されて、ガスボンベ２２内の炭酸ガスがガスノズル２４から噴出される。このため、化粧液ノズル４１の開口部が負圧になり、ボトル３４内の化粧液が吸い上げられて、化粧液ノズル４１からの化粧液が炭酸ガスの噴流によりミストとなり、そのミストが放出口１８から外部に噴射される。従って、化粧液を化粧に供することができる。
【００５２】
この場合、図６、７に示すように、ガスノズル２４の口径が化粧液ノズル４１の口径より大きく、化粧液ノズル４１はガスノズル２４からの噴射流の範囲４５内に位置しているため、液だれをほとんど生じることなく、細かなミストが噴射される。従って、噴霧器を快適に使用することができる。
【００５３】
噴霧終了後、開閉カバー１５を下降させれば、前記と逆順に、図２７に示す突起６９が下降して、スプリング６８のバネ力により被動部材６６が下降される。このため、シール部材６７が化粧液ノズル４１をシールする。また、図２０に示す作動カム６１が下降されるため、カムフォロワ５８が第２斜面６１２から前記頂部６１３、すなわちデッドポイントを越えて第１斜面６１１に移行し、その位置で保持される。このため、レバー５３が内側の位置に移動され、スライダ５１がスライドされて、その突起５２が押しボタン１７の押し下げをロックする第１位置に移動される。従って、前記のように、開閉カバー１５に対して閉鎖方向への抵抗力が付与され、開閉カバー１５がデッドポイントを越えれば、その抵抗力が小さくなるとともに、第１斜面６１１のカム作用により開閉カバー１５への下方へのアシスト力が作用し、開閉カバー１５を軽い力で閉鎖位置に移動させることができる。そして、開閉カバー１５がこの閉鎖位置に達すると、カムフォロワ５８が第１斜面６１１上を、頂部６１３から離れる方向、即ち外側へ向かって乗り上げることができないため、開閉カバー１５の開放方向への移動が阻止される。そして、この状態で、開閉カバー１５には前述のように開放方向へ強い抵抗力が付与され、閉鎖状態に維持される。従って、化粧液の漏出が防止された状態で、噴霧器を携行したり、保管したりすることができる。
【００５４】
本実施形態においては、以下の効果がある。
（１）すなわち、気体としての炭酸ガスが噴射されるガスノズル２４と、そのガスノズル２４に供給される流路を開閉するバルブ２５と、前記ガスノズル２４の先端に近接する液体ノズルとしての化粧液ノズル４１と、前記バルブ２５を開閉操作するための操作部材としての押しボタン１７よりなる噴霧機構を備え、前記化粧液ノズル４１からの液体としての化粧液の漏出を阻止するための手動操作可能な阻止部材としてのシール部材６７を設けている。つまり、噴霧のための押しボタン１７が押し下げ操作されていないときに、化粧液ノズル４１からの化粧液の漏出を阻止するためのシール部材６７が備えられている。図２８、２９参照。このため、夏季の高温時等、ボトル３４の内部圧力が上昇する場合であっても、ボトル３４内の化粧液が化粧液ノズル４１から漏出することを防止できる。
【００５５】
（２）シール部材６７は化粧液ノズル４１の開口を開閉するものであるため、化粧液ノズル４１とボトル３４との間の化粧液の経路にバルブ機構等を組み込む必要がなく、構成を簡単にできる。
【００５６】
（３）噴霧が放出される放出口１８を開閉カバー１５によって開閉するようになっている。図２参照。従って、噴霧以外のときには放出口１８から開閉カバー１５内にゴミ等が入ることを防止できる。
【００５７】
（４）ガスノズル２４及び化粧液ノズル４１を円筒状のホルダ２３に支持し、そのホルダ２３の化粧液ノズル４１と対向する部分には開放部４６が形成されている。図９参照。このため、快適な噴霧音を生成できる。
【００５８】
（５）前記ホルダ２３の両側下部寄りに一対の導入開口４７が形成されているため、ガスノズル２４からの噴射流によって、導入開口４７から吸引流が生じて、噴霧が整流されて噴霧の指向性が高められる。図８、９参照。従って、噴霧は必要以上に拡散することなく前方に向かって形成され、このため、使用者の意図する位置に化粧液を供給できるとともに、化粧液の無駄な放出を抑制できる。しかも、噴霧を整流する流れが生じるため、快適な噴霧音を生成できる。
【００５９】
（６）ガスノズル２４の開口４４の口径を化粧液ノズル４１の開口４３の口径より大きくして、化粧液ノズル４１の開口４３をガスノズル２４からの噴射流の範囲４５内に位置させている。図６、７参照。このため、化粧液が円滑に吸い上げられるとともに、吸い上げられた化粧液が有効にミスト化される。従って、化粧液の無駄な消費を避けることができる。これとは逆に、ガスノズル２４の開口４４の口径が化粧液ノズル４１の開口４３の口径より小さくなっていて、化粧液ノズル４１の開口４３が前記範囲４５からはみ出している場合には、化粧液の吸い上げ力が足りなかったり、吸い上げられた化粧液の一部がミスト化されずに、滴下されて有効に使用されない液だれ状態になったりすることがある。
【００６０】
（７）ハウジング１１に着脱可能に収容されたボトル３４の口部には接続部材３２の接続口３３に保持されるシリコーン樹脂よりなる中空状の球状シール部材３５が設けられている。図１２、１３参照。従って、ボトル３４の口部と接続部材３２との間のシール機能を確保できるだけではなく、ボトル３４の着脱において強い摩擦抵抗を受けることなく、小さな抵抗で着脱を容易に行なうことができる。そして、着脱にともない、クリック感に近い機械的な感触を使用者に与えることができ、球状シール部材３５と接続部材３２との嵌合状態を目視確認できなくとも、その嵌合状態を音と手の感触とによって適切に確認できて、ボトル３４の装着状態の良否を認識できる。ちなみに、球状シール部材３５に代えてゴム材よりなる一般的なオーリングを用いた場合は、ゴム材固有の高い摩擦係数と柔軟性とにより、接続部材３２との着脱に際して強い摩擦抵抗を受けて、着脱しにくいだけではなく、クリック感を得ることも困難であって、装着状態の良否を認識しにくい。
【００６１】
（８）図１０、１１から明らかなように、化粧液ノズル４１はその先端にテーパ状の面取り４１１を有しているため、面取り４１１を有していない構成と比較して、渦２００による乱流の発生を抑えることができる。すなわち、先端に面取り４１１が形成されず、切り落とし状に形成されている場合には、ガスノズル２４からのガスの噴射により、化粧液ノズル４１の先端位置には同先端のエッジを起点とした大きな渦２００が生じて、乱流が生成される。このように乱流が生成されると、化粧液ノズル４１の先端における負圧が生じにくくなって、化粧液の吸い上げ力Ｐが弱くなり、場合によっては瞬間的であるが化粧液ノズル４１に対して逆流方向への力Ｑが作用することもある。このような場合、化粧液ノズル４１の先端域に炭酸ガスの噴射流が存在しても、噴霧は生じにくい。これに対し、本実施形態では、前記面取り４１１によって渦２００の発生が抑制されるため、十分な量の噴霧を得ることができる。
【００６２】
（９）ガスノズル２４及び化粧液ノズル４１が噴霧器のハウジング１１によって覆われているため、それらのノズル２４、４１の部分への塵埃等の異物の侵入を防いで、異物による噴霧不良を防止できるばかりでなく、噴霧器を落とした場合等においてノズル２４、４１の損傷を防止できる。
【００６３】
（１０）ハウジング１１に、液体としての化粧液を外部に向かって噴霧するための開口としての放出口１８と、その開口を開閉可能なカバー１５とを備えた携帯用美容器において、前記カバー１５の開閉動作に抵抗を付与するようにした抵抗付与手段と、前記カバーの開閉ストロークの途中において前記抵抗付与手段による抵抗付与状態を弱めるようにした抵抗減少手段とが備えられている。すなわち、図１９に示すように、開閉カバー１５の閉鎖状態においては、スプリング５５のバネ力によりカムフォロワ５８及び作動カム６１を介して開閉カバー１５に対して開放方向への抵抗が強く付与されるため、化粧液ボトル３４内に化粧液が満たされた状態で、使用者が開閉カバー１５を持ってこの美容器を吊り下げても、本体側が下方に移動することを防止できる。従って、開閉カバー１５が不本意に放出口１８の開放位置に移動されることを防止できる。このため、携帯時等において放出口１８内からノズル等に前記異物が入ることを回避できる。また、開閉カバー１５を使用者が開放する場合には、スプリング５５のバネ力に抗してカムフォロワ５８が第１斜面６１１から作動カム６１の頂部６１３を乗り越え、下側ほど後退する第２斜面６１２上に移行する。このため、使用者は、開閉カバー１５をほどよい抵抗感に抗して引き上げれば、アシスト力が作用して、開閉カバー１５を小さな力でスムーズにかつ開放のための他の動作を行なうことなく簡単に開放できる。そして、使用者に対しては、前記頂部６１３の乗り越えに際してクリック感に似た感触が与えられる。しかも、開閉カバー１５の開放動作時には、カムフォロワ５８が作動カム６１の第２斜面６１２に係合する状態が維持されるため、開閉カバー１５のガタつきが抑えられる。そして、開閉カバー１５を開放状態から閉鎖させるときにも、閉鎖終了直前にカムフォロワ５８が作動カム６１の頂部６１３を乗り越えるため、使用者には、アシスト力が作用するとともに、クリック感に似た感触によって開閉カバー１５が閉鎖されたことを簡単に認識できる。このように、使用者は開閉カバー１５を適度な抵抗感をもってガタつきなく開閉操作できるとともに、閉鎖状態及び開放状態を体感的に認識できて、高級な操作感を得ることができるとともに、アシスト力を利用して開閉のための他の動作を行なうことなく容易に開閉できる。
【００６４】
（実施例）
複数種類の口径のガスノズル２４及び化粧液ノズル４１を組み合わせた実施例を、表１〜表１２に従って説明する。ここで、ガスノズル２４の口径が化粧液ノズル４１の口径より小さい場合の組み合わせは、本実施例から外れた比較例とする。
【００６５】
表１〜表８は、図６に示すように、メータ付き流量調整バルブ９０の一次側にガスボンベ２２を接続するとともに、同バルブ９０の二次側にチューブ９５を介してガスノズル２４を接続し、さらに、化粧液ノズル４１にボトル３４を接続した状態で、液だれと、噴霧を頬に当てた際の体感とを検証した結果を示すものである。そして、流量調節バルブ９０のメータ指針が０．１２ＭＰａ（メガパスカル）、０．１５ＭＰａの２段階となるように設定して、両段階において検証を行なった。この場合、ガスノズル２４からの実際の噴出圧力は、前記チューブ９５内における流通抵抗等によりメータ指針に対して８〜１２パーセント低下していることが確認された。
【００６６】
ガスノズル２４は、その口径（直径）が０．２５ｍｍ、０．３５ｍｍ、０．４８ｍｍのものを３種類用意し、化粧液ノズル４１は、その口径が０．３ｍｍ、０．４５ｍｍ、０．５５ｍｍのものを３種類用意し、それらを組み合わせた。そして、被験者の頬に対して２５ｃｍ離れた位置に化粧液ノズル４１を配置して、組み合わせごとに２０秒ずつ１２回にわたって頬に対して噴霧した。表１、表２の「液だれ」の検証においては、化粧液ノズル４１からの液だれの有無を目視で確認し、液だれが１回でも認められた場合を「×」（不良）、認められない場合を「○」（良好）とした。表３及び表４の「体感」の検証は、被験者が頬に水滴が当たることが１回でも感じた場合を「×」（不良）、全く感じない場合を「○」（良好）とした。水滴が当たるということは、化粧液がミスト化せずに水滴の状態で飛散することを表す。
【００６７】
表１及び表２から明らかなように、液だれについては、ガスの噴射圧力が強弱いずれのケースにおいても、ガスノズル２４の口径が化粧液ノズル４１の口径より大きい場合には「○」（良好）であるが、逆の場合は「×」（不良）である。従って、液だれについては、ガスノズル２４の口径が化粧液ノズル４１の口径より大きいことが好ましい。
【００６８】
【表１】
2015099023.tif 000003
【００６９】
【表２】
2015099023.tif 000004
表３及び表４から明らかなように、体感については、ガスの噴射圧力が低いケース及び高いケースの双方において、ガスノズル２４の口径が化粧液ノズル４１の口径より大きい場合に良好な結果をもたらす傾向にある。
【００７０】
【表３】
2015099023.tif 000005
【００７１】
【表４】
2015099023.tif 000006
表５及び表６は、液だれ及び体感の検証に関してガス噴射圧力ごとに、表１、表３及び表２、表４の結果をそれぞれ合体して評価したものである。ここで、表１及び表２の「○」と「○」との組み合わせを「○」（良好）、それ以外の組み合わせを「×」（不良）とした。この評価結果によれば、ガスノズル２４の口径が化粧液ノズル４１の口径より大きい場合に良好な結果を得ることができる。
【００７２】
【表５】
2015099023.tif 000007
【００７３】
【表６】
2015099023.tif 000008
表７及び表８は、１回の噴霧における化粧液ボトル３４内の化粧液の量の変化をグラム単位で表したものである。すなわち、噴射圧力の異なる２つケースにおけるノズル２４、４１の各組み合わせにおいて、２０秒ずつ１２回噴霧して各回の化粧液の重量の変化をグラム単位で計測し、１回分の消費量の平均値を算出し、それらの平均値を表７及び表８に記したものである。その結果は、ガスノズル２４の口径が小さいほど重量変化量、すなわち化粧液の消費量が少ない傾向を表している。
【００７４】
【表７】
2015099023.tif 000009
【００７５】
【表８】
2015099023.tif 000010
表９及び表１０は、０．１２ＭＰａ及び０．１５ＭＰａのメータ指針圧力で、ガスノズル２４から炭酸ガスをそれぞれ連続噴射させて、その噴射が停止するまでの時間、すなわち、ガスボンベ２２内の噴出可能な炭酸ガスが消費されるまでの時間を計測したものである。この場合も、ガスノズル２４の口径が小さいほど噴射持続時間が長い。また、炭酸ガスの噴出圧力が低い場合のほうが噴射持続時間が長い。従って、ガスノズル２４の口径が小さく、炭酸ガスの噴出圧力が低い場合に、１本のガスボンベ２２を長く使用できる。
【００７６】
【表９】
2015099023.tif 000011
【００７７】
【表１０】
2015099023.tif 000012
表１１は、ガスノズル２４の口径に対する化粧液ノズル４１の口径の比率を示したものである。
【００７８】
【表１１】
2015099023.tif 000013
表１２は、表１１の口径比率と、表５及び表６との関係を示したものである。つまり、炭酸ガスの噴出圧力が高低いずれのケースにおいても、ガスノズル２４の口径に対する化粧液ノズル４１の口径の比率が１．０７〜１．６０の場合が好結果である。
【００７９】
【表１２】
2015099023.tif 000014
（変更例）
本実施形態は、次のように変更して具体化することも可能である。
【００８０】
・本発明を化粧液以外の液体、例えば香水や洗顔料を噴霧する噴霧装置において具体化すること。
・化粧液ボトル３４の多孔質膜３４７を有する通気孔３４６を設けないようにすること。このように構成した場合、化粧液が噴霧によって吸い上げられると、その吸い上げ量に応じて化粧液ボトル３４の内筒３４９が容積縮小状態に変形される。そして、その後、例えば、噴霧直後にシール部材６７によって化粧液ノズル４１が閉鎖される直前において、外気が化粧液ノズル４１等から化粧液ボトル３４内に吸引されて内筒３４の変形が復元される。
【００８１】
・ガスボンベ２２や化粧液ボトル３４をハウジング外に設置するタイプの噴霧器に本発明を具体化すること。
・図２８及び図２９に示すシール部材６７に代えて、化粧液の漏洩を防止するための部材を化粧液ボトル３４と化粧液ノズル４１との間の経路中に設けること。
【００８２】
・前記球状シール部材３５に代えて、ボトル３４の口の外周または接続部材３２の接続口３３の内周にシール用のオーリングを設けること。
・ガスノズル２４及び化粧液ノズル４１の口径を前記実施例の値以外の値にすること。この場合、ガスノズル２４の口径を化粧液ノズル４１の口径より大きくする。
【００８３】
・ガスボンベ２２として、炭酸ガス以外の気体、例えば空気、窒素ガス等の気体を封入したボンベを用いること。
・スライダ５１や被動部材６６を移動させるための専用の操作部材を開閉カバー１５とは別に設けること。つまり、スライダ５１や被動部材６６の移動をカムフォロワ５８及び作動カム６１の作用によらずに直接あるいは間接に操作できるようにすること。例えば、図３３に示すように、作動カム６１をスプリング８０を介して開閉カバー１５に支持するとともに、上部フレーム１４の固定位置に作動カム６１と係合するカムフォロワとしての接触子８７を設けたり、図３４に示すように、作動カム６１に係合する接触子８７をスプリング８８介して上部フレーム１４に進退可能に設けたりすること。このようにすれば、開閉カバー１５に対して開閉の抵抗を付与することができるが、開閉カバー１５の動作とスライダ５１の動作とを切り離すことができる。
【００８４】
・図３２に示すように、防護キャップ８１の内側にボトルキャップ３４１の上面をシールするシールリング８５を設けること。そして、航空機内等において気圧が低下し、シールリング８５の内側の圧力が外側より高くなった場合には、シールリング８５のシール部８５１がボトルキャップ３４１との当接状態で外側に膨らむように変形し、シール部８５１とボトルキャップ３４１との当接圧力が高まる。このため、仮にボトル３４内の化粧液が漏出したとしても、防護キャップ８１の外部に漏れることが防止される。
【００８５】
・開閉カバー１５の開閉に対して抵抗を付与する構成としてリンク機構を設けること。例えば、図３５及び図３６に示すように、上部フレーム１４に一対の長孔９４を形成し、それらの長孔９４にそれぞれリンク９１の一端のピン９２をスライド可能に支持するとともに、各リンク９１の他端を開閉カバー１５上の共通のピン９３に支持する。そして、開閉カバー１５の上下移動にともない、共通のピン９３が長孔９４内の一対のピン９２を通る中心軸線１１０上のデッドポイントを双方向に越えるようにする。
【符号の説明】
【００８６】
１１…ハウジング、２２…ガスボンベ、２３…ノズルホルダ、２４…ガスノズル、２５…バルブ、３４…化粧液ボトル、４１…化粧液ノズル、１００…中心軸線、４１１…面取り、α…オフセット量。
【図１】
2015099023.tif 000015
【図２】
2015099023.tif 000016
【図３】
2015099023.tif 000017
【図４】
2015099023.tif 000018
【図５】
2015099023.tif 000019
【図６】
2015099023.tif 000020
【図７】
2015099023.tif 000021
【図８】
2015099023.tif 000022
【図９】
2015099023.tif 000023
【図１０】
2015099023.tif 000024
【図１１】
2015099023.tif 000025
【図１２】
2015099023.tif 000026
【図１３】
2015099023.tif 000027
【図１４】
2015099023.tif 000028
【図１５】
2015099023.tif 000029
【図１６】
2015099023.tif 000030
【図１７】
2015099023.tif 000031
【図１８】
2015099023.tif 000032
【図１９】
2015099023.tif 000033
【図２０】
2015099023.tif 000034
【図２１】
2015099023.tif 000035
【図２２】
2015099023.tif 000036
【図２３】
2015099023.tif 000037
【図２４】
2015099023.tif 000038
【図２５】
2015099023.tif 000039
【図２６】
2015099023.tif 000040
【図２７】
2015099023.tif 000041
【図２８】
2015099023.tif 000042
【図２９】
2015099023.tif 000043
【図３０】
2015099023.tif 000044
【図３１】
2015099023.tif 000045
【図３２】
2015099023.tif 000046
【図３３】
2015099023.tif 000047
【図３４】
2015099023.tif 000048
【図３５】
2015099023.tif 000049
【図３６】
2015099023.tif 000050
【国際調査報告】
2015099023.tif 000051
2015099023.tif 000052